(57)【要約】【課題】無電源物販機に売上管理機能を付与する手段を提供する。【解決手段】物品の販売を検出する検出手段と、検出手段から入力される検出信号に基づいて販売情報を生成する販売情報生成手段と、販売情報を記憶する記憶手段と、前記記憶手段に記憶された販売情報を外部へ出力する出力手段と、販売情報生成手段に電力を供給する電池とを備えると共に、装置本体の操作部を手動操作して装置本体内に収納された物品を取り出すように構成された無電源物販機に取り付け可能である。【選択図】  図３
2004295817.tif 000002
【特許請求の範囲】
【請求項１】
物品の販売を検出する検出手段と、検出手段から入力される検出信号に基づいて販売情報を生成する販売情報生成手段と、販売情報を記憶する記憶手段と、前記記憶手段に記憶された販売情報を外部へ出力する出力手段と、販売情報生成手段に電力を供給する電池とを備えると共に、装置本体の操作部を手動操作して装置本体内に収納された物品を取り出すように構成された無電源物販機に取り付け可能であることを特徴とする販売情報出力装置。
【請求項２】
出力手段は、前記記憶手段に記憶された販売情報を視認可能に表示する表示手段であることを特徴とする請求項１に記載の販売情報出力装置。
【請求項３】
出力手段は、他の端末で読み取り可能な信号を出力することを特徴とする請求項１に記載の販売情報出力装置。
【請求項４】
出力手段は、着脱可能な記憶媒体に販売情報を出力することを特徴とする請求項１に記載の販売情報出力装置。
【請求項５】
検出手段は、コインの投入を検出することを特徴とする請求項１乃至４の何れか１項に記載の販売情報出力装置。
【請求項６】
検出手段は、操作部の手動操作を検出することを特徴とする請求項１乃至４の何れか１項に記載の販売情報出力装置。
【請求項７】
検出手段は、物品の搬出を検出することを特徴とする請求項１乃至４の何れか１項に記載の販売情報出力装置。
【請求項８】
販売情報生成手段は売上集計用マイクロプロセッサを有することを特徴とする請求項１乃至７の何れか１項に記載の販売情報出力装置。
【請求項９】
売上集計用マイクロプロセッサは、検出手段からの検出信号を受けると休眠状態から覚醒し、販売情報を更新し、休眠状態に戻ることを特徴とする請求項８に記載の販売情報出力装置。
【請求項１０】
電池は充電可能であることを特徴とする請求項１乃至９の何れか１項に記載の販売情報出力装置。
【請求項１１】
操作部の手動操作により駆動される発電機を備え、電池は発電機により充電されることを特徴とする請求項１０に記載の販売情報出力装置。
【請求項１２】
太陽電池を備え、電池は太陽電池により充電されることを特徴とする請求項１０に記載の販売情報出力装置。
【請求項１３】
請求項１乃至１２の何れか１項に記載の販売情報出力装置を備えることを特徴とする無電源物販機。
【発明の詳細な説明】
【０００１】
【発明の属する技術分野】
本発明は、販売情報出力装置に関するものである。
【０００２】
【従来の技術】
所定の硬貨を投入し、装置本体の操作部を手動操作すると、装置本体内に収納されたカプセル等の物品を取り出すことができる物販装置であって、商用電源に接続されていない無電源物販機が、ゲームセンター、スーパーマーケットのゲームコーナー、玩具店やデパートの玩具売場等に、従来より設置されている。近年、物品の高額化、多様化等を目的として、この種の無電源物販機に種々の改良がなされている。
特許文献１は投入硬貨枚数を切換可能な無電源物販機を開示しており、特許文献２は物品の寸法を切換可能な無電源物販機を開示しており、特許文献３は複数の無電源物販機を一体的に連結した無電源物販機集合体を開示している。
【０００３】
【特許文献１】特開平８−２１２４３０
【特許文献２】特開平８−２１２４３８
【特許文献３】意匠登録第１１４９８２４
【０００４】
【発明が解決しようとする課題】
従来の無電源物販機は、売上管理機能を備えておらず、硬貨を回収して計数しない限り売上額を確認できなかったので、無電源物販機を多数配設するスーパーマーケットやデパート等の大規模店舗では、売上の把握に多大の労力と時間とを割く必要があり管理コストが高騰する、売れ筋の物品をタイムリーに供給できない、売れない物品の多量の在庫を抱える等の問題に直面していた。また、無電源物販機の保守要員が硬貨回収時に不正を働いても、管理者が当該不正を発見できないという問題もあった。
本発明は上記問題に鑑みてなされたものであり、無電源物販機に売上管理機能を付与する手段を提供することを目的とする。
【０００５】
【課題を解決するための手段】
上記課題を解決するために、本発明においては、物品の販売を検出する検出手段と、検出手段から入力される検出信号に基づいて販売情報を生成する販売情報生成手段と、販売情報を記憶する記憶手段と、前記記憶手段に記憶された販売情報を外部へ出力する出力手段と、前記販売情報生成手段に電力を供給する電池とを備えると共に、装置本体の操作部を手動操作して装置本体内に収納された物品を取り出すように構成された無電源物販機に取り付け可能であることを特徴とする販売情報出力装置を提供する。
本発明に係る販売情報出力装置は、物品の販売を検出する検出手段と、検出手段から入力される検出信号に基づいて販売情報を生成する販売情報生成手段と、販売情報を記憶する記憶手段と、前記記憶手段に記憶された販売情報を外部へ出力する出力手段と、前記販売情報生成手段に電力を供給する電池とを備えているので、本発明に係る販売情報出力装置を無電源物販機に取り付けることにより、無電源物販機に売上管理機能を付与することができる。
【０００６】
本発明の好ましい態様においては、出力手段は、前記記憶手段に記憶された販売情報を視認可能に表示する表示手段である。
本発明の好ましい態様においては、出力手段は、他の端末で読み取り可能な信号を出力する。
本発明の好ましい態様においては、出力手段は、着脱可能な記憶媒体に販売情報を出力する。
出力手段は、販売情報を視認可能に表示しても良く、他の端末で読み取り可能な信号を出力しても良く、着脱可能な記憶媒体に販売情報を出力しても良い。
【０００７】
本発明の好ましい態様においては、検出手段は、コインの投入を検出する。
本発明の好ましい態様においては、検出手段は、操作部の手動操作を検出する。
本発明の好ましい態様においては、検出手段は、物品の搬出を検出する。
コインの投入を検出することにより、或いは操作部の手動操作を検出することにより、或いは物品の搬出を検出することにより、物品の販売を検出することができる。
【０００８】
本発明の好ましい態様においては、販売情報生成手段は売上集計用マイクロプロセッサを有する。
本発明の好ましい態様においては、売上集計用マイクロプロセッサは、検出手段からの検出信号を受けると休眠状態から覚醒し、販売情報を更新し、休眠状態に戻る。
マイクロプロセッサの使用により、販売情報出力装置が小型化される。
物品の販売を行わない待機時に、マイクロプロセッサを休眠させることにより、マイクロプロセッサの消費電力が低減し、電池の消耗が抑制される。
【０００９】
本発明の好ましい態様においては、電池は充電可能である。
本発明の好ましい態様においては、販売情報出力装置は操作部の手動操作により駆動される発電機を備え、電池は発電機により充電される。
本発明の好ましい態様においては、販売情報出力装置は太陽電池を備え、電池は太陽電池により充電される。
充電可能な電池の使用により、電力供給が安定化される。
充電の態様は、操作部の手動操作により駆動される発電機によるものでも良く、或いは太陽電池によるものでも良い。
【００１０】
本発明においては、上記何れかの販売情報出力装置を備えることを特徴とする無電源物販機を提供する。
上記何れかの販売情報出力装置を備える無電源物販機は、売上管理機能を備えるので、無電源物販機を多数配設するスーパーマーケットやデパート等の大規模店舗における管理コストの高騰を抑制し、売れ筋物品のタイムリーな供給を可能にし、売れない物品の多量の在庫を抱える事態の発生を抑制し、無電源物販機の保守要員の不正行為を抑制する。
【００１１】
【発明の実施の形態】
本発明の第１実施例に係る販売情報出力装置が取り付けられた無電源物販機を説明する。
図１に示すように、無電源物販機Ａは、縦型の筐体１を備えている。筐体１の透明窓２を介して、筐体１内部の商品収納室３を観察することができる。商品収納室３には、玩具等が入った透明カプセル商品４が収納されている。透明窓２の下に、硬貨投入口５が配設され、硬貨投入口５の直下に回転式の操作部６が配設されている。操作部６の斜め下方に商品取出口７が配設されている。
【００１２】
図２に示すように、操作部６は、水平軸８を介してハンドルロック９に接続されている。ハンドルロック９に硬貨投入口５が形成されている。硬貨投入口５に硬貨を投入すると、ハンドルロック９のロックが解除され、水平軸８が回転可能になる。ハンドルロック９の直下に硬貨通路１０が配設され、硬貨通路１０の下方に硬貨収納庫１１が配設されている。
水平軸８の端部に駆動ギヤ１２が固定されている。駆動ギヤ１２は、商品収納室３の底部に配設された回転体１３の下面に形成された従動ギヤ１４とかみあっている。回転体１３は垂直軸１５を中心として回転可能である。回転体１３に、周方向に等ピッチで配設された複数の商品収納孔１６が形成されている。１個の商品収納孔１６に１個の透明カプセル商品４が収納可能である。回転体１３の回転時に、空の商品収納孔１６に、透明カプセル商品４が、自重により取り込まれる。
透明カプセル商品４の落下を阻止する図示しない落下防止板が、回転体１３の直下に配設されている。落下防止板には、所定の回転位置に在る商品収納孔１６にのみ対峙する図示しない落下口が形成されている。回転体１３を間に挟んで前記落下口の上方に、且つ回転体１３の直近上方に、一度に２個以上の透明カプセル商品４が落下口へ落下するのを阻止するためのコイルバネ１７が張設されている。商品搬出通路１８が、前記落下口の直下から下方へ延びている。商品搬出通路１８の下端は商品取出口７に接続している。
【００１３】
販売情報出力ユニット１９が、無電源物販機Ａに取り付けられている。販売情報出力ユニット１９は無電源物販機Ａの筐体１内に配設されている。販売情報出力ユニット１９は、マイクロスイッチ、光センサ等により構成され、間接的に商品の販売を検出する硬貨検出センサ２０と、クリアボタンスイッチ２１と、表示ボタンスイッチ２２と、販売情報を視認可能な視覚情報として外部へデジタル表示するＬＣＤ（液晶）表示器２３と、ＬＣＤ表示器２３のバックライト照明２４とを備えている。硬貨検出センサ２０は、ハンドルロック９の側面に取り付けられている。クリアボタンスイッチ２１、表示ボタンスイッチ２２、ＬＣＤ表示器２３は、販売情報出力ユニット１９の前面に配設されている。バックライト照明２４は、ＬＣＤ表示器２３の背後に配設されている。
【００１４】
図３に示すように、販売情報出力ユニット１９は、マイクロプロセッサにより構成されるＣＰＵ２５と、ＲＯＭ２６と、ＲＡＭ２７と、駆動用電池２８とにより構成される制御部を備えている。ＲＯＭ２６は、販売情報出力ユニット１９の制御手順を示す制御プログラムや固定データ等を格納している。ＲＡＭ２７は、販売情報である硬貨収納庫１１内の硬貨枚数のデータを記憶する。ＣＰＵ２５は、ＲＯＭ２６に格納されたプログラムや固定データと、硬貨検出センサ２０、クリアボタン２１、表示ボタン２２から入力ポート２９を介して入力された各種入力信号と、ＲＡＭ２７から読み取った情報とに基づいて、各種演算を行い、販売情報を生成し、出力ポート３０を介してＬＣＤ表示器２３、バックライト照明２４に制御信号を出力する。駆動用電池２８はＣＰＵ２５に電力を供給する。
【００１５】
無電源物販機Ａにおいては、硬貨投入口５に所定の硬貨が投入され、次いで操作部６が回転操作されると、回転体１３が所定角度回転し、透明カプセル４が収納された商品収納孔１６が、図示しない落下防止板に形成された図示しない落下口に対峙する。商品収納孔１６内の透明カプセル商品４が、落下口と商品搬出通路１８とを通って、商品取出口７に搬出される。
【００１６】
図４のフローチャートに基づいて、販売情報出力装置１９の作動を説明する。
無電源物販機Ａが、商品を販売していない、いわゆる待機状態に在る時には、ＣＰＵ２５は駆動用電池２８の消耗を抑制するために、プログラム実行を停止する休眠状態にある。
硬貨検出センサ２０が硬貨を検出すると、またはクリアボタン２１若しくは表示ボタン２２が操作されると、検出信号又は操作信号が、入力ポート２９を介してＣＰＵ２５に入力される。ＣＰＵ２５は、検出信号又は操作信号を受け取ると休眠状態から覚醒し、ＲＯＭ２６に格納された制御プログラムに従って制御動作を開始する。
【００１７】
硬貨検出センサ２０から検出信号が入力されている場合には、ＣＰＵ２５は、ＲＡＭ２７に記憶された販売情報である硬貨枚数カウンタの増加処理を行い、最新の販売情報を生成してＲＡＭ２７に記憶させる（Ｓ１およびＳ２）。クリアボタン２１から操作信号が入力されている場合には、ＣＰＵ２５は、硬貨枚数のクリア処理を行う（Ｓ３及びＳ４）。表示ボタン２２から操作信号が入力されている場合には、ＣＰＵ２５は、出力ポート３０を介して制御信号を出力し、バックライト２４の点灯処理を行う（Ｓ５およびＳ６）。
次いでＣＰＵ２５は、ＲＡＭ２７から硬貨枚数カウンタを読み出し、販売情報である硬貨枚数データや硬貨枚数から算出した売上金額データ（硬貨が特定金額の硬貨に固定されている場合）等を、出力ポート３０を介してＬＣＤ表示器２３に表示する（Ｓ７）。
表示ボタン２２から操作信号が入力されている場合には、ＣＰＵ２５は、操作信号の入力が停止するまでバックライト２４の点灯を継続する（Ｓ８）。
表示ボタン２２から操作信号が入力されていない場合、または表示ボタン２２の操作停止により表示ボタン２２からの操作信号の入力が停止した場合には、ＣＰＵ２５は、バックライト２４が点灯している場合にはバックライト２４を消灯した後、制御動作を終了し、休眠状態に戻る。
【００１８】
販売情報出力ユニット１９は、透明カプセル商品４の販売を検出する検出手段である硬貨検出センサ２０と、硬貨検出センサ２０から入力される検出信号に基づいて販売情報を生成する販売情報生成手段であるＣＰＵ２５と、販売情報を記憶する記憶手段であるＲＡＭ２７と、ＲＡＭ２７に記憶された販売情報を視認可能な視覚情報として外部へ出力する出力手段であるＬＣＤ２３と、ＣＰＵ２５に電力を供給する駆動用電池２８とを備えているので、販売情報出力装置１９を取り付けることにより、無電源物販機Ａに、売上管理機能を付与することができる。販売情報出力ユニット１９が取り付けられた無電源物販機Ａは、売上管理機能を備えるので、無電源物販機Ａを多数配設するスーパーマーケットやデパート等の大規模店舗における管理コストの高騰を抑制し、売れ筋物品のタイムリーな供給を可能にし、売れない物品の多量の在庫を抱える事態の発生を抑制し、無電源物販機Ａの保守要員の不正行為を抑制することができる。
【００１９】
ＣＰＵ２５がマイクロプロセッサによって構成されることにより、販売情報出力装置１９が小型化されている。
ＣＰＵ２５は、透明カプセル商品４の販売時を行わない待機時には休眠状態にあるので、ＣＰＵ２５の消費電力は少ない。この結果、駆動用電池２８の消耗が抑制されている。
バックライト２４の点灯により、ＬＣＤ表示器２３が照明されるので、夜間でもＬＣＤ表示器２３に表示された販売情報を容易に読み取ることができる。
【００２０】
ＬＣＤ２３に代えてジャーナルプリンタを配設し、操作部６を操作した時に、現在の硬貨枚数データ又は売上金額データを印字しても良い。無電源物販機Ａの機械番号、日時等も同時に印字すると販売情報管理に好適である。
クリアボタン２１の操作でクリアされない硬貨枚数カウンタを別途設け、無電源物販機Ａの通算販売情報を別途表示しても良い。
硬貨投入の検出により商品販売を検出するのに代えて、操作部６又は水平軸８又はギヤ１２の回転の検出により商品販売を検出しても良く、落下口や商品搬出通路１８を通過する透明カプセル商品４の検出により商品販売を検出しても良く、他の任意の手段によって商品販売を検出しても良い。
駆動用電池２８を充電可能とすると共に、操作部６の手動操作により駆動される発電機を配設し、発電機により駆動用電池２８を充電しても良い。
駆動用電池２８を充電可能とするとことにより、ＣＰＵ２５への電力供給が安定化する。操作部６の手動操作により駆動される発電機を配設すれば、簡便に発電して駆動用電池２８を充電できる。
【００２１】
本発明の第２実施例に係る販売情報出力装置が取り付けられた無電源物販機を説明する。
図５に示すように、無電源物販機Ａと同様の構成を有する６台の無電源物販機Ａ１〜Ａ６が一体的に組み付けられて、無電源物販機集合体Ｂを形成している。無電源物販機集合体Ｂに、販売情報出力ユニット１９′が取り付けられている。図６に示すように、販売情報出力ユニット１９′は、６個の硬貨検出センサ２０ａ〜２０ｆを備えている。販売情報出力ユニット１９′は、販売情報出力ユニット１９のＬＣＤ表示器２３、バックライト照明２４、駆動用電池２８、出力ポート３０に代えて赤外線受信部２３′、赤外線送信部２４′、駆動用二次電池２８′、入出力ポート３０′を備えている。販売情報出力ユニット１９′は、販売情報出力ユニット１９が備えていたクリアボタン２１と表示ボタン２２とを備えていない。上記諸点を除いて、販売情報出力ユニット１９′の構成は販売情報出力ユニット１９の構成と同様である。図６において、販売情報出力ユニット１９の構成要素と同様の構成要素には、販売情報出力ユニット１９の構成要素に付した参照番号と同一の参照番号を付している。
販売情報出力ユニット１９′は、硬貨検出センサ２０ｂ〜２０ｆを除いて、無電源物販機Ａ１に取り付けられている。硬貨検出センサ２０ｂ〜２０ｆは、無電源物販機Ａ２〜Ａ６に取り付けられている。
駆動用二次電池２８′は、無電源物販機Ａ１に取り付けられた太陽電池３１に接続されており、太陽電池３１により充電される。
図６、７に示すように、無電源物販機集合体Ｂとは別体で、ハンディターミナルＣが配設されている。ハンディターミナルＣは、入力装置３２と、制御装置３３と、制御装置３３により駆動される表示器３４、プリンタ３５、赤外線送信部３６と、赤外線受信部３７とを備えている。
【００２２】
図８のフローチャートに基づいて、販売情報出力装置１９′の作動を説明する。無電源物販機Ａ１〜Ａ６が、商品を販売していない、いわゆる待機状態に在る時には、ＣＰＵ２５は駆動用二次電池２８′の消耗を抑制するために、プログラム実行を停止する休眠状態にある。
何れかの硬貨検出センサから検出信号が入力されると、ＣＰＵ２５は休眠状態から覚醒し、ＲＯＭ２６に格納された制御プログラムに従って制御動作を開始する。
硬貨検出センサ２０ａから検出信号が入力されている場合には、ＣＰＵ２５は、ＲＡＭ２７に記憶された物販機Ａ１の販売情報である硬貨枚数カウンタａの増加処理を行い、最新の販売情報を生成してＲＡＭ２７に記憶させる（Ｓ１１およびＳ１２）。ＣＰＵ２５は、硬貨検出センサ２０ｂ〜２０ｆからの検出信号が入力されている場合にも、ＲＡＭ２７に記憶された物販機Ａ２〜Ａ６の販売情報である硬貨枚数カウンタｂ〜ｆの増加処理を行い、最新の販売情報を生成してＲＡＭ２７に記憶させる（Ｓ１３乃至Ｓ２２）。その後ＣＰＵ２５は休眠状態に戻る。保守要員がハンディターミナルＣの入力装置３２を操作すると、制御装置３３は、赤外線送信部３６から販売情報出力ユニット１９′の赤外線受信部２３′へ向けて、所望の物販機の販売情報要求信号を出力する。入出力ポート３０′を介して当該信号を受け取った販売情報出力ユニット１９′のＣＰＵ２５は休眠状態から覚醒し、販売情報要求信号に含まれる機械番号に一致する機械番号を有する物販機を物販機Ａ１〜Ａ６から抽出し、ＲＡＭ２７に記憶された当該物販機の販売情報である硬貨枚データ及び／又は硬貨枚数から算出した売上金額データと機械番号とを含む販売情報信号を、赤外線送信部２４′からハンディターミナルＣの赤外線受信部３７へ向けて出力する（Ｓ２３乃至Ｓ２５）。販売情報信号を受け取ったハンディターミナルＣの制御装置３３は、当該販売情報を視認可能な視覚情報として表示器３４及び／又はプリンタ３５に出力する。その後、ＣＰＵ２５は制御動作を終了し、休眠状態に戻る。
販売情報出力ユニット１９′においても、販売情報出力ユニット１９と同様の効果が得られる。
【００２３】
販売情報出力ユニット１９′とハンディターミナルＣ間の通信は、赤外線通信に限定されない。無線通信や有線通信を採用しても良く、ＩＣカード等の着脱可能な記憶媒体を介する通信を採用しても良い。
【００２４】
本発明に係る販売情報出力ユニット１９、１９′を、売上管理機能を有さない既存の無電源物販機に後付けすることにより、当該無電源物販機に容易に販売管理機能を付与することができる。
【００２５】
無電源物販機Ａ、Ａ１〜Ａ６で販売する商品は、透明カプセル商品に限定されず、ゴルフボール、箱入りのちり紙や新聞や雑誌等の各種紙類、箱入りの菓子や玩具や日用雑貨、缶ジュース、チューインガム等、無電源物販機による販売に適した如何なる商品でも良い。
【００２６】
【発明の効果】
本発明に係る販売情報出力装置は、物品の販売を検出する検出手段と、検出手段から入力される検出信号に基づいて販売情報を生成する販売情報生成手段と、販売情報を記憶する記憶手段と、前記記憶手段に記憶された販売情報を外部へ出力する出力手段と、前記販売情報生成手段に電力を供給する電池とを備えているので、本発明に係る販売情報出力装置を無電源物販機に取りつけることにより、無電源物販機に売上管理機能を付与することができる。
【図面の簡単な説明】
【図１】本発明の第１実施例に係る販売情報出力装置が取り付けられた無電源物販機の外観斜視図である。
【図２】図１の無電源物販機の内部構造の斜視図である。
【図３】本発明の第１実施例に係る販売情報出力装置の制御回路図である。
【図４】本発明の第１実施例に係る販売情報出力装置の作動のフローチャートである。
【図５】本発明の第２実施例に係る販売情報出力装置が取り付けられた無電源物販機集合体の外観斜視図である。
【図６】本発明の第２実施例に係る販売情報出力装置の制御回路図である。
【図７】本発明の第２実施例に係る販売情報出力装置と組み合わせて使用されるハンディターミナルの外観斜視図である。
【図８】本発明の第２実施例に係る販売情報出力装置の作動のフローチャートである。
【符号の説明】
Ａ  無電源物販機
Ｂ  無電源物販機集合体
Ｃ  ハンディターミナル
４  透明カプセル商品
５  硬貨投入口
６  操作部
１９、１９′  販売情報出力ユニット
２０、２０ａ〜２０ｆ  硬貨検出センサ
２３  ＬＣＤ表示器
２４′  赤外線送信部
２５  ＣＰＵ
２６  ＲＯＭ
２７  ＲＡＭ
２８  駆動用電池
２８′  駆動用二次電池
３１  太陽電池
３４  表示器
３５  プリンタ
【図１】
2004295817.tif 000003
【図２】
2004295817.tif 000004
【図３】
2004295817.tif 000005
【図４】
2004295817.tif 000006
【図５】
2004295817.tif 000007
【図６】
2004295817.tif 000008
【図７】
2004295817.tif 000009
【図８】
2004295817.tif 000010